(57)【要約】【課題】レーザ光の光軸間のギャップにバラつきが生じても、それぞれのレーザ光を適正に受光することが可能な光ピックアップ装置および当該光ピックアップ装置の調整方法を提供する。【解決手段】半導体レーザ１０１には、発光部１０１ａが形成された基板１０１ｄと、発光部１０１ｂ、１０１ｃが形成された基板１０１ｅが設置される。また、発光部１０１ａから出射されるＢＤ光の進行方向を変化させるＤＯＥ１０９が配置される。ＤＯＥ１０９はホルダに保持され、かかるホルダは光軸方向と光軸周りの回転方向に移動可能にハウジングに載置される。発光部１０１ｂから出射されるＤＶＤ光を用いて光検出器１１１が位置調整された後、ＤＯＥ１０９が光軸方向と回転方向に移動され、ＤＯＥ１０９の位置調整が行われる。これにより、ＢＤ光が光検出器１１１に適正に受光される位置にＤＯＥ１０９が位置付けられる。【選択図】図１
2015079549.tif 000002
【特許請求の範囲】
【請求項１】
同一パッケージに設置された第１および第２の基板上にそれぞれ第１のレーザ発光部と第２のレーザ発光部が形成されたレーザ光源と、
前記第１および第２のレーザ発光部からそれぞれ出射された第１および第２のレーザ光をそれぞれ第１および第２のディスク上に収束させるとともに、前記第１および第２のディスクによって反射された前記第１および第２のレーザ光を光検出器に導く光学系と、
前記光学系に配置され、前記第１および第２のレーザ光のうち前記第１のレーザ光の進行方向を変化させて前記光検出器上における前記第１のレーザ光の照射位置を変化させる光軸調整素子と、
前記光軸調整素子の位置を変化させるための調整機構と、を備える、
ことを特徴とする光ピックアップ装置。
【請求項２】
請求項１に記載の光ピックアップ装置において、
前記光軸調整素子は、波長選択性の回折格子からなっている、
ことを特徴とする光ピックアップ装置。
【請求項３】
請求項１または２に記載の光ピックアップ装置において、
前記光軸調整素子は、前記光検出器の受光面上において前記第１のレーザ光の光軸が第２のレーザ光の光軸に一致するよう調整され、
前記光検出器は、前記第１のレーザ光の光軸と前記第２のレーザ光の光軸が一致する位置に、前記第１のレーザ光と前記第２のレーザ光の両方を受光する共通のセンサ部を有する、
ことを特徴とする光ピックアップ装置。
【請求項４】
請求項１ないし３の何れか一項に記載の光ピックアップ装置において、
前記調整機構は、前記光軸調整素子を保持するホルダを備え、
前記ホルダは、前記光学系の光軸に沿う方向に移動可能で、且つ、当該光軸の周りに回転可能となるように、前記光学系を収容するハウジングのホルダ設置部に載置され、
前記調整機構は、前記ホルダを前記ホルダ設置部に弾性的に押し付ける押圧部材をさらに備える、
ことを特徴とする光ピックアップ装置。
【請求項５】
請求項１ないし４の何れか一項に記載の光ピックアップ装置において、
前記第２の基板に第３のレーザ光を出射する第３のレーザ発光部が形成され、
前記光検出器は、第３のディスクによって反射された前記第３のレーザ光を受光するセンサ部を備える、
ことを特徴とする光ピックアップ装置。
【請求項６】
光ピックアップ装置の調整方法において、
前記光ピックアップ装置は、
同一パッケージに設置された第１および第２の基板上にそれぞれ第１のレーザ発光部と第２のレーザ発光部が形成されたレーザ光源と、
前記第１および第２のレーザ発光部からそれぞれ出射された第１および第２のレーザ光をそれぞれ第１および第２のディスク上に収束させるとともに、前記第１および第２のディスクによって反射された前記第１および第２のレーザ光を光検出器に導く光学系と、
前記光学系に配置され、前記第１および第２のレーザ光のうち前記第１のレーザ光の進行方向を変化させて前記光検出器上における前記第１のレーザ光の照射位置を変化させる光軸調整素子と、
前記光軸調整素子の位置を変化させるための調整機構と、を備え、
前記調整機構は、前記光学系の光軸に沿う第１の方向と、当該光軸の周りの回転方向である第２の方向に、前記光軸調整素子の位置を変化させ、
前記第１の方向において前記光軸調整素子の位置を調整する第１の工程と、前記第２の方向に前記光軸調整素子の位置を調整する第２の工程と、を含む、
ことを特徴とする光ピックアップ装置の調整方法。
【請求項７】
請求項６に記載の光ピックアップ装置の調整方法において、
前記光検出器は、前記第１のレーザ光を受光するための４分割センサを有し、
前記４分割センサが、第１の分割線によって、センサＳ１１、Ｓ１２と、センサＳ１３、Ｓ１４に区分され、且つ、第２の分割線によって、前記センサＳ１１、Ｓ１４と、前記センサＳ１２、Ｓ１３に区分されるとき、
前記第１の工程は、以下に規定される信号ＰｏｓＸの値に基づいて、前記第１の方向において前記光軸調整素子の位置を調整する工程を含む、
ことを特徴とする光ピックアップ装置の調整方法。
ＰｏｓＸ＝｛（Ｓ１１＋Ｓ１２）−（Ｓ１３＋Ｓ１４）｝
／（Ｓ１１＋Ｓ１２＋Ｓ１３＋Ｓ１４）
ただし、上記式において、Ｓ１１〜Ｓ１４は、それぞれ、前記第１のディスクが装着された状態で前記第１のレーザ発光部から前記第１のレーザ光を出射させたときに前記センサＳ１１〜Ｓ１４から出力される検出信号である。
【請求項８】
請求項７に記載の光ピックアップ装置の調整方法において、
前記第２の工程は、以下に規定される信号ＰｏｓＹの値が０に近づくように、前記第２の方向におけて前記光軸調整素子の位置を調整する工程を含む、
ことを特徴とする光ピックアップ装置の調整方法。
ＰｏｓＹ＝｛（Ｓ１１＋Ｓ１４）−（Ｓ１２＋Ｓ１３）｝
／（Ｓ１１＋Ｓ１２＋Ｓ１３＋Ｓ１４）
【発明の詳細な説明】
【技術分野】
【０００１】
本発明は、複数の記録媒体に対応した光ピックアップ装置および当該光ピックアップ装置の調整方法に関する。
【背景技術】
【０００２】
従来、複数の記録媒体に対応した互換型の光ピックアップ装置が開発されている。かかる光ピックアップ装置では、異なる波長のレーザ光を用いて情報の読み書きが行われる。この種の光ピックアップ装置で用いられる半導体レーザとして、異なる波長の２つのレーザ光を出射する２波長レーザが知られている（たとえば、特許文献１）。さらに、近年では、異なる波長の３つのレーザ光を出射する３波長レーザが用いられることもある。
【先行技術文献】
【特許文献】
【０００３】
【特許文献１】特開２００１−２３０５０１号公報
【発明の概要】
【発明が解決しようとする課題】
【０００４】
上記３波長レーザでは、たとえば、同一パッケージに設置された異なる２つの基板上に、それぞれ、２つの発光部と１つの発光部が形成される。この場合、各基板の設置誤差等により、一方の基板に設置された発光部と他方の基板に設置された発光部との間の距離にバラつきが生じ易く、かかるバラつきに起因して、レーザ光の光軸間のギャップにもバラつきが生じ易くなる。その結果、一方の基板に設置された発光部からのレーザ光に対して光検出器が位置調整された場合に、他方の基板に設置された発光部からのレーザ光を適正に受光できなくなる惧れがある。
【０００５】
本発明は、かかる課題を解消するためになされたものであり、レーザ光の光軸間のギャップにバラつきが生じても、それぞれのレーザ光を適正に受光することが可能な光ピックアップ装置および当該光ピックアップ装置の調整方法を提供することを目的とする。
【課題を解決するための手段】
【０００６】
本発明の第１の態様は、光ピックアップ装置に関する。この態様に係る光ピックアップ装置は、同一パッケージに設置された第１および第２の基板上にそれぞれ第１のレーザ発光部と第２のレーザ発光部が形成されたレーザ光源と、前記第１および第２のレーザ発光部からそれぞれ出射された第１および第２のレーザ光をそれぞれ第１および第２のディスク上に収束させるとともに、前記第１および第２のディスクによって反射された前記第１および第２のレーザ光を光検出器に導く光学系と、前記光学系に配置され、前記第１および第２のレーザ光のうち前記第１のレーザ光の進行方向を変化させて前記光検出器上における前記第１のレーザ光の照射位置を変化させる光軸調整素子と、前記光軸調整素子の位置を変化させるための調整機構と、を備える。
【０００７】
本発明の第２の態様は、光ピックアップ装置の調整方法に関する。この態様において、光ピックアップ装置は、同一パッケージに設置された第１および第２の基板上にそれぞれ第１のレーザ発光部と第２のレーザ発光部が形成されたレーザ光源と、前記第１および第２のレーザ発光部からそれぞれ出射された第１および第２のレーザ光をそれぞれ第１および第２のディスク上に収束させるとともに、前記第１および第２のディスクによって反射された前記第１および第２のレーザ光を光検出器に導く光学系と、前記光学系に配置され、前記第１および第２のレーザ光のうち前記第１のレーザ光の進行方向を変化させて前記
光検出器上における前記第１のレーザ光の照射位置を変化させる光軸調整素子と、前記光軸調整素子の位置を変化させるための調整機構と、を備える。ここで、前記調整機構は、前記光学系の光軸に沿う第１の方向と、当該光軸の周りの回転方向である第２の方向に、前記光軸調整素子の位置を変化させる。本態様に係る調整方法は、前記第１の方向において前記光軸調整素子の位置を調整する第１の工程と、前記第２の方向に前記光軸調整素子の位置を調整する第２の工程と、を含む。
【発明の効果】
【０００８】
本発明によれば、レーザ光の光軸間のギャップにバラつきが生じても、それぞれのレーザ光を適正に受光することが可能な光ピックアップ装置および当該光ピックアップ装置の調整方法を提供することができる。
【０００９】
本発明の特徴は、以下に示す実施の形態により更に明らかとなろう。ただし、以下の実施の形態は、あくまでも本発明の一つの実施形態であって、本発明ないし各構成要件の用語の意義は、以下の実施の形態により何ら制限されるものではない。
【図面の簡単な説明】
【００１０】
【図１】実施の形態に係る光ピックアップ装置の光学系を示す図である。
【図２】実施の形態に係る受光面上における照射位置を説明する図および受光面上に配される４分割センサを示す図である。
【図３】実施の形態に係るＤＯＥが設置される位置の近傍のハウジングを示す図である。
【図４】実施の形態に係るＤＯＥを保持するホルダを示す図および後面の設置部の拡大図である。
【図５】実施の形態に係るホルダのハウジングへの取り付けを説明する図およびホルダがハウジングに装着された状態を示す図である。
【図６】実施の形態および変更例に係るハウジングに装着されたホルダを前方から見た場合の平面図である。
【図７】実施の形態に係るホルダの位置調整の手順を示すフローチャートおよび位置調整に用いるテーブルを示す図である。
【図８】実施の形態に係るＢＤ光の照射位置が適正に位置付けられるようになるまでの過程を説明する図である。
【図９】実施の形態および変更例に係る信号ＰｏｓＸ、ＰｏｓＹの関係を示す図である。
【図１０】変更例に係る信号ＰｏｓＸ、ＰｏｓＹの関係を示す図である。
【発明を実施するための形態】
【００１１】
本実施の形態は、ＢＤ（Blu-ray Disc）、ＤＶＤ（Digital Versatile Disc）およびＣＤ（Compact Disc）にレーザ光を照射する光ピックアップ装置に本発明を適用したものである。
【００１２】
図１（ａ）、（ｂ）に、実施の形態に係る光ピックアップ装置１の光学系を示す。図１（ａ）は光学系を光ピックアップ装置１の表側から（ｙ軸正方向に）見た場合の平面図、図１（ｂ）は対物レンズアクチュエータ１２２周辺部分を側面側から見た内部透視図、図１（ｃ）は半導体レーザ１０１における発光部の配置状態を示す図である。
【００１３】
図１（ａ）を参照して、光ピックアップ装置１は、半導体レーザ１０１と、回折格子１０２と、偏光ビームスプリッタ（ＰＢＳ）１０３と、１／４波長板１０４と、コリメータレンズ１０５と、レンズアクチュエータ１０６と、立ち上げミラー１０７と、対物レンズ１０８と、回折光学素子（ＤＯＥ）１０９と、非点収差板１１０と、光検出器１１１を備
える。これら光学系の各部は、光ピックアップ装置１のハウジングＨ（図３（ａ）、（ｂ）参照）に設置されている。
【００１４】
半導体レーザ１０１は、波長４００ｎｍ程度のレーザ光（以下、「ＢＤ光」という）と、波長６５０ｎｍ程度のレーザ光（以下、「ＤＶＤ光」という）と、波長７８０ｎｍ程度のレーザ光（以下、「ＣＤ光」という）を同一方向に出射する。
【００１５】
図１（ｃ）に示すように、半導体レーザ１０１は、一つのパッケージに、ＢＤ光、ＤＶＤ光、ＣＤ光をそれぞれ出射する発光部１０１ａ、１０１ｂ、１０１ｃを備える。発光部１０１ｂ、１０１ｃは、基板１０１ｅ上に間隔がｗ２となるように一体的に形成されている。発光部１０１ａは、基板１０１ｅとは異なる基板１０１ｄ上に、発光部１０１ａ、１０１ｂの間隔がｗ１（ｗ１＞ｗ２）となるように形成されている。基板１０１ｄ、１０１ｅは、サブマウント１０１ｆ上に設置されている。発光部１０１ａ〜１０１ｃは、一直線上に並ぶように形成されている。半導体レーザ１０１以降の光学系は、その光軸がＤＶＤ光の光軸に整合するように調整されている。また、本実施の形態では、ｗ１、ｗ２は何れも９０μｍに設計されている。
【００１６】
ここで、発光部１０１ａと、発光部１０１ｂ、１０１ｃは、それぞれ、半導体製造プロセスによって、基板１０１ｄ、１０１ｅ上に形成される。このため、基板１０１ｄにおける発光部１０１ａの位置精度と、基板１０１ｅにおける発光部１０１ｂ、１０１ｃの位置精度は、十分に高められたものとなる。しかしながら、発光部が形成された基板１０１ｄ、１０１ｅは、電極、接合層等を介して、サブマウント１０１ｆ上に接合される。このため、サブマウント１０１ｆにおける基板１０１ｄ、１０１ｅの位置精度は低くなる。以上のような理由により、ｗ２には、−１〜＋１μｍ程度の誤差しか含まれないが、ｗ１には、−１０〜＋１０μｍ程度の誤差が生じてしまう。
【００１７】
回折格子１０２は、半導体レーザ１０１から出射されたＢＤ光、ＤＶＤ光、ＣＤ光のうちＢＤ光のみをメインビームと２つのサブビームに分割する。回折格子１０２には、ＢＤ光の３つのビームがディスクのトラックに沿うよう回折溝が形成されている。なお、ＤＶＤ光とＣＤ光も回折格子１０２による回折作用を受けるが、これら光のサブビームの強度は、極めて小さくなっている。
【００１８】
ＰＢＳ１０３は、回折格子１０２側から入射されたレーザ光を反射する。ＰＢＳ１０３は、入射面と出射面が正方形の輪郭を有する薄板状の平行平板となっており、その入射面に、偏光膜が形成されている。半導体レーザ１０１は、ＢＤ光、ＤＶＤ光、ＣＤ光の偏光方向がＰＢＳ１０３に対してＳ偏光となるように配置されている。なお、ＰＢＳ１０３は、対向する２つの頂角がｙ軸方向を向くように傾けられた状態で配置されている。
【００１９】
１／４波長板１０４は、ＰＢＳ１０３によって反射されたレーザ光を円偏光に変換するとともに、ディスクからの反射光を、ディスクへ向かうときの偏光方向に直交する直線偏光に変換する。これにより、ディスクによって反射されたレーザ光はＰＢＳ１０３を透過して光検出器１１１へと導かれる。
【００２０】
コリメータレンズ１０５は、ＰＢＳ１０３によって反射されたレーザ光を平行光に変換する。レンズアクチュエータ１０６は、１／４波長板１０４とコリメータレンズ１０５を、コリメータレンズ１０５の光軸方向に駆動する。コリメータレンズ１０５が移動されることにより、レーザ光に生じる収差が補正される。
【００２１】
立ち上げミラー１０７は、コリメータレンズ１０５側から入射されたレーザ光を対物レンズ１０８に向かう方向（ｙ軸負方向）に反射する。対物レンズ１０８は、ホルダ１２１
に保持され、ホルダ１２１は、対物レンズアクチュエータ１２２によって、フォーカス方向（ｙ軸方向）およびトラッキング方向（ディスクのラジアル方向）に駆動される。このようにホルダ１２１が駆動されることにより、対物レンズ１０８が、フォーカス方向およびトラッキング方向に駆動される。
【００２２】
なお、コリメータレンズ１０５側から立ち上げミラー１０７に入射するレーザ光の光軸は、ディスクのタンジェンシャル方向に対して６７．５度傾いている。また、立ち上げミラー１０７からディスクに向かうＢＤ光のメインビームと２つのサブビームの並び方向は、ディスクのタンジェンシャル方向と一致している。
【００２３】
ディスクからの反射光は、１／４波長板１０４によりＰＢＳ１０３に対してＰ偏光となる直線偏光に変換される。これにより、ディスクからの反射光は、ＰＢＳ１０３を透過する。
【００２４】
ＤＯＥ１０９は、ＢＤ光、ＤＶＤ光、ＣＤ光を回折させる。ＤＯＥ１０９は、ＢＤ光に対しては＋１次の回折効率が高く、ＤＶＤ光、ＣＤ光に対しては０次の回折効率が高くなるよう設計されている。すなわち、ＤＯＥ１０９は、回折作用により、主としてＢＤ光の進行方向を変化させる、波長選択性の回折格子である。ＢＤ光の＋１次回折光は、ＤＯＥ１０９によってＤＶＤ光の光軸に近づく方向（ｙ軸正方向）に曲げられる。これにより、ＢＤ光のメインビームの光軸は、ＤＶＤ光の光軸と一致することになる。なお、ＤＯＥ１０９の入射面と出射面の輪郭は、領域Ｒ（図４（ｃ）参照）と対応するように、平行四辺形となっている。
【００２５】
非点収差板１１０は、平行平板であり、ＢＤ光、ＤＶＤ光、ＣＤ光の光軸に対して４５度傾くように配置されている。これにより、非点収差板１１０に収束状態で入射するＢＤ光、ＤＶＤ光、ＣＤ光に対して、非点収差が導入される。光検出器１１１の受光面は、ｘｙ平面に平行であり、かかる受光面上には、ＢＤ光、ＤＶＤ光、ＣＤ光が照射される位置に、４分割センサが配置されている。光検出器１１１の受光面上に配置される４分割センサについては、追って図２（ｂ）を参照して説明する。
【００２６】
図２（ａ）は、光検出器１１１の受光面上におけるＢＤ光、ＤＶＤ光、ＣＤ光の照射位置を説明する図である。なお、図２（ａ）では、ＤＯＥ１０９と光検出器１１１の受光面との間に配される非点収差板１１０の図示が、便宜上、省略されており、ＤＯＥ１０９の入射面と出射面の輪郭は、便宜上、正方形となっている。
【００２７】
ＢＤ光、ＤＶＤ光、ＣＤ光は、この順に、ｙ軸正方向に並んだ状態でＤＯＥ１０９に入射する。ＤＯＥ１０９に入射するＢＤ光は、回折格子１０２によってメインビームとサブビームに分割されている。これら３つのビームの並び方向は、ディスクのタンジェンシャル方向に対応する方向となっており、ＤＯＥ１０９の回折方向（ｙ軸方向）に垂直な方向に対して僅かに傾いた状態となっている。
【００２８】
ＤＯＥ１０９に入射するＢＤ光の３つのビームは、ＤＯＥ１０９の回折作用によりｙ軸正方向に曲げられる。なお、ＢＤ光の＋１次以外の回折光と、ＤＶＤ光とＣＤ光の０次以外の回折光の光量は小さいため、図２（ａ）では便宜上図示していない。
【００２９】
ＤＯＥ１０９の回折作用により生じるＢＤ光の３つのビームの＋１次回折光は、ｚ軸正方向にｙ軸正方向の成分が加えられた方向に進む。また、ＤＶＤ光とＣＤ光の０次回折光はｚ軸正方向に進む。このように、ＤＯＥ１０９の回折作用により、光検出器１１１の受光面上において、ＢＤ光のメインビームの光軸と、ＤＶＤ光の光軸が一致する。
【００３０】
図２（ｂ）は、光検出器１１１の受光面上に配される４分割センサＳ１〜Ｓ４を示す図である。なお、図２（ｂ）は、光検出器１１１を裏面から（ｚ軸負方向に）見た場合の４分割センサＳ１〜Ｓ４を示している。
【００３１】
４分割センサＳ１は、ＢＤ光のメインビームとＤＶＤ光を受光し、４分割センサＳ２、Ｓ３は、ＢＤ光の２つのサブビームを受光し、４分割センサＳ４は、ＣＤ光を受光する。４分割センサＳ１〜Ｓ３は、これら３つの４分割センサの並び方向が、図２（ａ）に示すＢＤ光の３つのビームの並び方向に一致するよう傾いて配されている。４分割センサＳ４は、発光部１０１ａ〜１０１ｃの並び方向と同じ方向（ｙ軸方向）に、４分割センサＳ１と隣り合うように配される。
【００３２】
また、４分割センサＳ１〜Ｓ４は、それぞれ、センサＳ１１〜Ｓ１４と、センサＳ２１〜Ｓ２４と、センサＳ３１〜Ｓ３４と、センサＳ４１〜Ｓ４４からなる。ここで、図２（ｂ）において、４分割センサＳ１〜Ｓ３の並び方向をＹ軸方向とし、Ｙ軸方向に垂直な方向をＸ軸方向とすると、Ｘ軸方向とＹ軸方向は、それぞれ、ディスクのラジアル方向とタンジェンシャル方向に対応する方向となる。４分割センサＳ１〜Ｓ４の分割線は、Ｘ軸方向とＹ軸方向に一致するよう構成される。４分割センサＳ１〜Ｓ４を構成する各センサからの出力により、再生ＲＦ信号、フォーカスエラー信号、トラッキングエラー信号が生成される。
【００３３】
ここで、上述したように、間隔ｗ１には大きな誤差が生じ易い。このため、光ピックアップ装置１の光学系が設計位置に適正に配置されたとしても、光検出器１１１の受光面上において、ＢＤ光の３つのビームの照射位置が、４分割センサＳ１〜Ｓ３の中心からずれてしまう惧れがある。このように、ＢＤ光の照射位置がずれると、４分割センサＳ１〜Ｓ３から出力されるＢＤ光の検出信号の精度が低下してしまう。
【００３４】
すなわち、本実施の形態では、まず、ＤＶＤ光とＣＤ光を用いて、光検出器１１１の位置調整が行われる。この調整では、光検出器１１１の受光面上において、ＤＶＤ光の照射位置が４分割センサＳ１の中心に位置付けられ、且つ、ＣＤ光の照射位置が４分割センサＳ４の中心に位置付けられるよう、ｘｙ平面内における光検出器１１１の位置が調整される。この場合、図１（ｃ）に示した間隔ｗ２のバラつきが小さいため、かかる調整により、ＤＶＤ光とＣＤ光は、それぞれ、４分割センサＳ１、Ｓ２の中心に位置付けられる。
【００３５】
しかしながら、このようにＤＶＤ光とＣＤ光を用いて光検出器１１１の位置調整が行われても、図１（ｃ）に示した間隔ｗ１のバラつきが大きいため、光検出器１１１の受光面上におけるＢＤ光のメインビームとサブビームの照射位置は、しばしば、４分割センサＳ１〜Ｓ３から外れてしまう。このため、４分割センサＳ１〜Ｓ３から出力されるＢＤ光の検出信号の精度が低下する。
【００３６】
かかる問題を解消するために、本実施の形態では、上述の調整の後、ＤＯＥ１０９のｚ軸方向の位置を調整することにより、光検出器１１１の受光面上において、ＢＤ光のｙ軸方向の照射位置を調整する。また、ＤＯＥ１０９のｘｙ平面内における回転方向の位置を調整して、ＤＯＥ１０９の回折方向を調整することにより、光検出器１１１の受光面上において、ＢＤ光の回転方向の照射位置を調整する。こうして、光検出器１１１の受光面上において、ＢＤ光と、ＤＶＤ光と、ＣＤ光の照射位置が、適正な位置に位置付けられることとなる。
【００３７】
ＤＯＥ１０９の位置調整を行う場合、ＢＤ光のみを光検出器１１１に照射させる。このとき、センサＳ１１〜Ｓ１４の検出信号を、それぞれＳ１１〜Ｓ１４と表すとする。ＢＤ光のメインビームが４分割センサＳ１に対してＸ軸正方向にどの程度ずれているかを示す
信号ＰｏｓＸと、ＢＤ光のメインビームが４分割センサＳ１に対してＹ軸正方向にどの程度ずれているかを示す信号ＰｏｓＹは、以下の式（１）、（２）の演算により取得することができる。
【００３８】
ＰｏｓＸ＝｛（Ｓ１１＋Ｓ１２）−（Ｓ１３＋Ｓ１４）｝
／（Ｓ１１＋Ｓ１２＋Ｓ１３＋Ｓ１４）  …（１）
ＰｏｓＹ＝｛（Ｓ１１＋Ｓ１４）−（Ｓ１２＋Ｓ１３）｝
／（Ｓ１１＋Ｓ１２＋Ｓ１３＋Ｓ１４）  …（２）
【００３９】
本実施の形態では、ＤＯＥ１０９を、ｚ軸方向に移動させ、さらに、ｘｚ平面内において回転方向に移動させて、信号ＰｏｓＸ、ＰｏｓＹが０となるようＤＯＥ１０９の位置を調整する。これにより、ＢＤ光の３つのビームの照射位置が、４分割センサＳ１〜Ｓ３上に位置付けられるようになる。なお、ＤＯＥ１０９の位置調整の手順については、追って図７（ａ）を参照して説明する。
【００４０】
図３（ａ）、（ｂ）は、それぞれ、ＤＯＥ１０９が設置される位置の近傍のハウジングＨを、裏面側から見た斜視図と平面図である。なお、左右方向と、上下方向と、前後方向は、それぞれ、ｘ軸方向と、ｙ軸方向と、ｚ軸方向に対応する。
【００４１】
図３（ａ）、（ｂ）に示すように、ハウジングＨには、水平面（前後左右方向からなる平面）に平行な２つの底面Ｈ１１が形成されている。また、ハウジングＨには、１つの底面Ｈ１１の左側と右側に、２つの斜面Ｈ１２が形成されている。また、ハウジングＨには、左側の２つの斜面Ｈ１２の左側に、水平面に平行な棚部Ｈ１３が形成されており、前方右側の斜面Ｈ１２の右側には棚部Ｈ１４が形成されており、後方右側の斜面Ｈ１２の右側には棚部Ｈ１５が形成されている。また、ハウジングＨには、前方の底面Ｈ１１、斜面Ｈ１２と、後方の底面Ｈ１１、斜面Ｈ１２との間に、ＰＢＳ１０３を保持するための保持部Ｈ１６が形成されている。
【００４２】
なお、保持部Ｈ１６の右側、前方、後方には、それぞれ、ＰＢＳ１０３と回折格子ホルダ１０２ａに保持された回折格子１０２との間で、ＰＢＳ１０３と１／４波長板１０４との間で、ＰＢＳ１０３とＤＯＥ１０９との間でレーザ光が通るように、開口が設けられている。また、図３（ｂ）に示すように、ＰＢＳ１０３と回折格子１０２との間を通るレーザ光の方向は、ｘ軸方向からややずれた状態となっている。
【００４３】
ハウジングＨには、後方の底面Ｈ１１、斜面Ｈ１２の後方側に、上下左右方向からなる平面に平行な壁面Ｈ２１が形成されている。壁面Ｈ２１には、レーザ光が通るように、前後方向に貫通する孔が設けられている。また、壁面Ｈ２１の左側には、上側と前側が開放された凹部Ｈ２２が形成されている。
【００４４】
ハウジングＨには、棚部Ｈ１３の左側に、棚部Ｈ１３よりも上側に位置し、前後左右方向からなる平面に平行な棚部Ｈ３１が形成されている。また、ハウジングＨには、棚部Ｈ３１の左側と、棚部Ｈ１４の右側に、それぞれ、壁部Ｈ３２、Ｈ３３が形成されている。壁部Ｈ３２の右側と、壁部Ｈ３３の左側には、それぞれ、接着剤を塗布するための凹部Ｈ３２ａ、Ｈ３３ａが形成されている。また、ハウジングＨには、壁部Ｈ３２の左側に、後述するネジＨ３４ａを挿入するための孔Ｈ３４が形成されており、棚部Ｈ３１の前方部分の左側に、凸部Ｈ３５が形成されている。孔Ｈ３４の周辺面と、凸部Ｈ３５の周辺面と、凹部Ｈ２２の下面は、同一平面上にあり、棚部Ｈ３１よりも上側に位置している。
【００４５】
図４（ａ）、（ｂ）は、それぞれ、ＤＯＥ１０９を保持するホルダＤを前方から見た斜視図と後方側から見た斜視図である。
【００４６】
図４（ａ）に示すように、ホルダＤの前方には、上下左右方向からなる平面に平行な前面Ｄ１１が形成されている。前面Ｄ１１は、所定の厚みを有しており、前面Ｄ１１の左下と右下の側面には、それぞれ曲面Ｄ１１ａが形成されている。前面Ｄ１１の中央には、前後方向にレーザ光を通すための開口Ｄ１１ｂが形成されている。
【００４７】
図４（ｂ）に示すように、ホルダＤの後方には、上下左右方向からなる平面に平行な後面Ｄ２１が形成されている。後面Ｄ２１は、所定の厚みを有しており、後面Ｄ２１の左下と右下の側面には、それぞれ曲面Ｄ２１ａが形成されている。後面Ｄ２１の中央には、前後方向にレーザ光を通すと共に、ＤＯＥ１０９を保持するための設置部Ｄ２１ｂが形成されている。
【００４８】
図４（ａ）、（ｂ）に示すように、ホルダＤの左側には、前後方向に延びた鍔部Ｄ３１が形成されている。鍔部Ｄ３１の下面は水平面に平行である。また、ホルダＤの右側には、前後方向に延びた鍔部Ｄ３２、Ｄ３３が形成されている。鍔部Ｄ３２、Ｄ３３の下面は水平面に平行であり、鍔部Ｄ３２は前方に位置しており、鍔部Ｄ３３は後方に位置している。鍔部Ｄ３２、Ｄ３３の間には、左右方向にレーザ光を通すための切欠Ｄ３４が形成されている。また、鍔部Ｄ３１の左側には、鍔部Ｄ３５が形成されている。鍔部Ｄ３５の下面は水平面に平行である。
【００４９】
また、ホルダＤの上面には、曲面を有する２つの頭部Ｄ４１が形成されている。２つの頭部Ｄ４１の間には、後述する位置調整の際にジグを挿入するための凹部Ｄ５１と孔部Ｄ５２が形成されている。また、ホルダＤの上面の左側には、上側と左側が開放された凹部Ｄ６１が形成されており、ホルダＤの上面の右側には、上側と右側が開放された凹部Ｄ６２が形成されている。
【００５０】
また、ホルダＤの内部には収容部Ｄ７１が形成されており、収容部Ｄ７１の下側は開放されている。収容部Ｄ７１は、ホルダＤがハウジングＨに装着される際に、ＰＢＳ１０３を収容する保持部Ｈ１６を収容可能な大きさとなっている。収容部Ｄ７１の前後方向の幅は、保持部Ｈ１６の前後方向の幅よりも大きくなっている。前面Ｄ１１の開口Ｄ１１ｂと、後面Ｄ２１の設置部Ｄ２１ｂの開口Ｄ８３（図４（ｃ）参照）と、切欠Ｄ３４は、それぞれ、収容部Ｄ７１の前方、後方、右側に位置している。
【００５１】
図４（ｃ）は、後面Ｄ２１の設置部Ｄ２１ｂの拡大図である。
【００５２】
設置部Ｄ２１ｂには、中央に、ＤＯＥ１０９を嵌め込むための壁Ｄ８１ａ〜Ｄ８１ｄと鍔部Ｄ８２が形成されている。壁Ｄ８１ａ〜Ｄ８１ｄと鍔部Ｄ８２は、ＤＯＥ１０９の輪郭よりもやや大きい平行四辺形の領域Ｒを規定するように形成されている。領域Ｒには、ＢＤ光、ＤＶＤ光、ＣＤ光を通すための開口Ｄ８３が形成されている。
【００５３】
鍔部Ｄ８２には、前後方向に延びる三角注形状の凸部Ｄ８２ａが形成されている。凸部Ｄ８２ａは、領域Ｒに掛かるように形成されている。また、鍔部Ｄ８２の右側と下側に隙間があるため、凸部Ｄ８２ａは、鍔部Ｄ８２が右方向に撓むことにより、右方向に変位可能となっている。
【００５４】
壁Ｄ８１ａ〜Ｄ８１ｄと鍔部Ｄ８２で囲まれた領域Ｒには、上下左右方向からなる平面に平行な支持面Ｄ８４ａ、Ｄ８４ｂが形成されている。支持面Ｄ８４ａ、Ｄ８４ｂは、同一平面上に配置される。壁Ｄ８１ａ、Ｄ８１ｃと鍔部Ｄ８２の前端には、それぞれ、上下左右方向からなる平面に平行な溝面Ｄ８５ａ〜８５ｃが連接されている。溝面Ｄ８５ａ〜８５ｃは、支持面Ｄ８４ａ、Ｄ８４ｂよりも、ステップ状に前方に位置付けられる。また
、領域Ｒの対角の位置には、２つの凹部Ｄ８６が形成されている。
【００５５】
このように形成された設置部Ｄ２１ｂに対して、ＤＯＥ１０９の前面が支持面Ｄ８４ａ、８４ｂに支持されるように嵌め込まれる。このとき、ＤＯＥ１０９の右側面が、凸部Ｄ８２ａによって左方向に押される。この状態で、２つの凹部Ｄ８６に接着剤が流し込まれ、ＤＯＥ１０９がホルダＤに固着される。こうして、ホルダＤにＤＯＥ１０９が装着された光学素子ユニットが完成する。
【００５６】
図５（ａ）は、ＤＯＥ１０９が装着されたホルダＤの、ハウジングＨへの装着を説明する図である。
【００５７】
ＤＯＥ１０９が装着されたホルダＤをハウジングＨに取り付ける際には、板ばねＬとネジＨ３４ａが用いられる。板ばねＬは、可撓性を有する薄い板からなり、左右方向に延びた２つの腕部Ｌ１を有する。また、板ばねＬには、後方に鍔部Ｌ２が形成され、中央付近にネジＨ３４ａを上下方向に通すための孔Ｌ３が形成され、さらに、前方に切欠Ｌ４が形成されている。
【００５８】
ホルダＤをハウジングＨに取り付ける際には、まず、ホルダＤの収容部Ｄ７１（図４（ｂ）参照）が上側から保持部Ｈ１６を収容し、ホルダＤの２つの曲面Ｄ１１ａが前方側の２つの斜面Ｈ１２に接地し、ホルダＤの２つの曲面Ｄ２１ａが後方側の２つの斜面Ｈ１２に接地するよう、ホルダＤがハウジングＨに載置される。そして、腕部Ｌ１がホルダＤの頭部Ｄ４１に位置付けられ、鍔部Ｌ２が凹部Ｈ２２に位置付けられ、孔Ｌ３が孔Ｈ３４に位置付けられ、切欠Ｌ４が凸部Ｈ３５に位置付けられるよう、板ばねＬがホルダＤの上側から載置される。そして、ネジＨ３４ａが孔Ｌ３を介して孔Ｈ３４に留められる。
【００５９】
このように、ネジＨ３４ａが孔Ｌ３を介して孔Ｈ３４に留められると、板ばねＬのハウジングＨに対する位置が決定する。このとき、板ばねＬの２つの腕部Ｌ１の下面が、ホルダＤの２つの頭部Ｄ４１を下方向に押し付け、２つの腕部Ｌ１の位置が、鍔部Ｌ２、孔Ｌ３、切欠Ｌ４よりも上方向に撓む。これにより、ホルダＤが斜面Ｈ１２に押し付けられる。こうして、ホルダＤがハウジングＨに対して装着される。
【００６０】
図５（ｂ）は、ホルダＤがハウジングＨに装着された状態を示す斜視図である。
【００６１】
このとき、２つの曲面Ｄ１１ａが前方側の２つの斜面Ｈ１２に接地し、２つの曲面Ｄ２１ａ（図４（ｂ）参照）が後方側の２つの斜面Ｈ１２に接地し、２つの腕部Ｌ１が２つの頭部Ｄ４１を下方向に押し付けている。これにより、ホルダＤがハウジングＨに装着される。
【００６２】
また、上述したように、ホルダＤの収容部Ｄ７１（図４（ｂ）参照）の前後方向の幅は、保持部Ｈ１６の前後方向の幅よりも大きく、ホルダＤが保持部Ｈ１６に対して最も前方に位置付けられた時に、後面Ｄ２１の後方面が、壁面Ｈ２１よりも前方に位置付けられる。このため、図５（ｂ）に示すようにホルダＤがハウジングＨに装着されても、ホルダＤを、前後方向に所定の幅だけ移動させることができる。
【００６３】
また、図５（ｂ）では、鍔部Ｄ３１が棚部Ｈ１３の上側に位置付けられ、鍔部Ｄ３２、Ｄ３３がそれぞれ棚部Ｈ１４、Ｈ１５の上側に位置付けられ、鍔部Ｄ３５が棚部Ｈ３１の上側に位置付けられている。このため、図５（ｂ）に示すようにホルダＤがハウジングＨに装着されても、ホルダＤを、上下左右方向からなる平面内において回転させることができる。
【００６４】
図６（ａ）〜（ｃ）は、ハウジングＨに装着されたホルダＤを前方から見た場合の平面図である。図６（ａ）〜（ｃ）において、ホルダＤがハウジングＨと板ばねＬに接している部分が、点線で示されている。
【００６５】
図６（ａ）は、図５（ｂ）と同様の状態を示す図である。すなわち、鍔部Ｄ３１が棚部Ｈ１３の上側に位置付けられ、鍔部Ｄ３２、Ｄ３３がそれぞれ棚部Ｈ１４、Ｈ１５の上側に位置付けられ、鍔部Ｄ３５が棚部Ｈ３１の上側に位置付けられている。
【００６６】
図６（ｂ）は、図６（ａ）の状態から、ホルダＤを、上下左右方向からなる平面内において、反時計回りに最も回転させた状態を示す図である。このとき、図６（ａ）と同様の３点の接地部分に加えて、鍔部Ｄ３１が棚部Ｈ１３に接地している。
【００６７】
図６（ｃ）は、図６（ａ）の状態から、ホルダＤを、上下左右方向からなる平面内において、時計回りに最も回転させた状態を示す図である。このとき、図６（ａ）と同様の３点の接地部分に加えて、鍔部Ｄ３２、Ｄ３３が、それぞれ棚部Ｈ１４、Ｈ１５に接地している。
【００６８】
次に、図５（ｂ）、図６（ａ）に示すようにホルダＤが装着された状態から、ホルダＤの前後方向の位置と回転方向の位置を調整することにより、ＤＯＥ１０９の位置を調整する手順について説明する。
【００６９】
図７（ａ）は、ＤＯＥ１０９の位置調整の手順を示すフローチャートである。この手順は、光ピックアップ装置１の組み立てを行う作業者が主体となって行う。なお、この手順は、上記のように、ＤＶＤ光とＣＤ光を用いて光検出器１１１の位置調整が行われた後に行われる。
【００７０】
作業者は、まず、レンズアクチュエータ１０６を駆動させて、コリメータレンズ１０５を調整時の位置へ移動させ（Ｓ１１）、半導体レーザ１０１の発光部１０１ａからＢＤ光を発光させる（Ｓ１２）。なお、コリメータレンズ１０５の調整時の位置とは、コリメータレンズ１０５を通り立ち上げミラー１０７に向かうＢＤ光を、平行光にするための位置のことである。
【００７１】
続いて、作業者は、ＤＯＥ１０９を初期位置へ移動させる（Ｓ１３）。ＤＯＥ１０９の初期位置とは、ＤＯＥ１０９を保持するホルダＤが初期位置に位置付けられたときのＤＯＥ１０９の位置のことである。ホルダＤの初期位置とは、図５（ｂ）に示すように装着されたホルダＤの後面Ｄ２１の後方面が、壁面Ｈ２１に接地し、且つ、図６（ｂ）に示すように鍔部Ｄ３１が棚部Ｈ１３に接地するときのホルダＤの位置である。
【００７２】
図８（ａ）は、Ｓ１３においてＤＯＥ１０９が初期位置に位置付けられたときのＢＤ光の照射位置を示す例示図である。ＤＯＥ１０９が初期位置に位置付けられると、ＢＤ光の３つのビームの中心は、それぞれ対応する４分割センサの中心に対して、Ｘ軸正方向側、且つ、Ｙ軸正方向側に位置付けられる。
【００７３】
なお、ＤＯＥ１０９が初期位置に位置付けられたとき、図１（ｃ）に示す間隔ｗ１の誤差がどのように生じても、ＢＤ光の３つのビームの中心が、対応する４分割センサの中心のＸ軸正方向側、且つ、Ｙ軸正方向側に位置付けられるようになっている。これにより、後述するＤＯＥ１０９の各ステップにおける調整方向を常に同じ方向とすることができる。
【００７４】
図７（ａ）に戻り、次に、作業者は、凹部Ｄ５１にジグを挿入して、初期位置に位置付
けられたホルダＤを前方（ｚ軸負方向）へ移動させることにより、ＤＯＥ１０９を前方へ移動させる（Ｓ１４）。このとき、ホルダＤは、上下左右方向からなる平面内で回転しないように、鍔部Ｄ３１が棚部Ｈ１３に設置した状態で、前方へ移動される。そして、作業者は、信号ＰｏｓＸの値が０になるまで（Ｓ１５：ＹＥＳ）、ＤＯＥ１０９を前方へ移動させる。これにより、光検出器１１１の受光面上において、ＢＤ光の照射位置がｙ軸正方向に移動し、図８（ｂ）に示すように、ＢＤ光の３つのビームは、それぞれ対応する４分割センサのＹ軸方向の分割線に等しく跨るようになる。
【００７５】
信号ＰｏｓＸの値が０になると（Ｓ１５：ＹＥＳ）、作業者は、このときの信号ＰｏｓＹの値を確認して、図７（ｂ）に示すように予め設定されたテーブルから、対応する信号ＰｏｓＸの目標値を取得する（Ｓ１６）。たとえば、信号ＰｏｓＸの値が０となったときの信号ＰｏｓＹの値が３１〜３５の範囲にあれば、信号ＰｏｓＸの目標値は１１となる。
【００７６】
次に、作業者は、凹部Ｄ５１に挿入したジグを用いて、ＤＯＥ１０９を後方（ｚ軸正方向）へ移動させる（Ｓ１７）。このときも、ホルダＤは、上下左右方向からなる平面内で回転しないように後方へ移動される。そして、作業者は、信号ＰｏｓＸの値が目標値になるまで（Ｓ１８：ＹＥＳ）、ＤＯＥ１０９を後方へ移動させる。これにより、光検出器１１１の受光面上において、図８（ｃ）に示すように、ＢＤ光の照射位置がｙ軸負方向に移動する。
【００７７】
信号ＰｏｓＸの値が目標値になると（Ｓ１８：ＹＥＳ）、作業者は、孔部Ｄ５２にジグを挿入して、ＤＯＥ１０９を上下左右方向からなる平面内（ｘｙ平面内）で、前方から見て（ｚ軸正方向に見て）時計回りに回転移動させる（Ｓ１９）。このとき、ホルダＤは、前後方向に移動しないように回転移動される。そして、作業者は、信号ＰｏｓＸ、ＰｏｓＹの値が何れも０となるまで（Ｓ２０：ＹＥＳ）、ＤＯＥ１０９を回転移動させる。これにより、光検出器１１１の受光面上において、図８（ｃ）、（ｄ）の破線で示す曲線に沿ってＢＤ光のメインビームの中心が移動する。このとき、ＢＤ光の２つのサブビームも、メインビームと平行に移動する。
【００７８】
信号ＰｏｓＸ、ＰｏｓＹの値が何れも０になると（Ｓ２０：ＹＥＳ）、図８（ｄ）に示すように、ＢＤ光の３つのビームは、それぞれ対応する４分割センサの中心に合わせられる。こうして、ＤＯＥ１０９のｚ軸方向の位置調整と、ｘｚ平面内における回転方向の位置調整が終了する。
【００７９】
なお、図７（ｂ）のテーブルは、このようにＤＯＥ１０９を回転させることにより、ＢＤ光のメインビームの照射領域の中心が４分割センサＳ１の中心に一致することが可能となるよう、信号ＰｏｓＸの値を規定するためのものである。すなわち、図７（ｂ）のテーブルは、図８（ｂ）の状態から、ＢＤ光のメインビームをどれだけｙ軸負方向側に移動すれば、図８（ｃ）の破線で示す曲線上に位置付けられるかを示すものである。
【００８０】
なお、信号ＰｏｓＸの値が０となるメインビームの位置は、図８（ｂ）に示す位置に限られず、図８（ｂ）以外の位置においても、信号ＰｏｓＸの値が０となり得る。信号ＰｏｓＸの値が０となるメインビームの位置が異なると、図８（ｃ）の破線で示す曲線上にメインビームを位置付けるためのｙ軸方向の移動量も異なる。他方、信号ＰｏｓＸの値が０となるメインビームの位置は、信号ＰｏｓＸの値が０となるときの信号ＰｏｓＹの値によって特定され得る。このことから、図７（ｂ）のテーブルには、信号ＰｏｓＸの値が０となるときの信号ＰｏｓＹの値（メインビームの位置）に対応づけて信号ＰｏｓＸの目標値（メインビームを図８（ｃ）の破線で示す曲線上に位置付けるための移動量）が記述されている。なお、テーブルの左欄には、信号ＰｏｓＹの値が所定の範囲で示されているが、テーブルの左欄の値は、図７（ｂ）に示すものに限られるものではない。
【００８１】
図９（ａ）は、信号ＰｏｓＸ、ＰｏｓＹの関係を示す図である。図９（ａ）を参照して、ＤＯＥ１０９の位置調整に応じて、信号ＰｏｓＸ、ＰｏｓＹの値が０となる過程について説明する。
【００８２】
たとえば、ＤＯＥ１０９が初期位置に位置付けられたとき、信号ＰｏｓＸ、ＰｏｓＹの値で表される点（以下、「ＤＯＥ座標点」という）が、点Ｐ１にあるとする。この状態で、信号ＰｏｓＸの値が０となるまで、ホルダＤが前方へ移動されると（図７（ａ）のＳ１５、Ｓ１６）、ＤＯＥ座標点が、点Ｐ１から点Ｐ２に移動する。なお、ホルダＤが前後方向へ移動されるとき、ＤＯＥ座標点は、光学系の設定に応じた所定の傾き（図９（ａ）に示す前後方向）の直線上を移動する。
【００８３】
続いて、信号ＰｏｓＸの値が目標値となるまで、ホルダＤが後方へ移動されると（図７（ａ）のＳ１８、Ｓ１９）、ＤＯＥ座標点が、点Ｐ２から点Ｐ３に移動する。さらに、信号ＰｏｓＸ、ＰｏｓＹの値が何れも０となるまで、ホルダＤが回転移動されると（図７のＳ２０、Ｓ２１）、ＤＯＥ座標点が、点Ｐ３から原点に移動する。なお、ホルダＤが回転方向へ移動されるとき、ＤＯＥ座標点は、光学系の設定に応じた所定の傾き（図９（ａ）に示す回転方向）の直線上を移動する。
【００８４】
こうして、ＤＯＥ１０９を保持するホルダＤの位置調整が終了し、たとえば、図５（ｂ）に示すような状態に位置付けられたとすると、この状態において、凹部Ｄ６１と凹部Ｈ３２ａの間に接着剤が塗布され、凹部Ｄ６２と凹部Ｈ３３ａの間に接着剤が塗布される。これにより、最終的にホルダＤがハウジングＨに対して固定され、ＤＯＥ１０９の設置が終了する。
【００８５】
＜実施の形態の効果＞
本実施の形態によれば、以下の効果が奏され得る。
【００８６】
ＤＯＥ１０９は、図２（ａ）に示すように、回折作用によりＢＤ光の光軸を曲げることにより、光検出器１１１の受光面上において、ＢＤ光のメインビームの光軸とＤＶＤ光の光軸を一致させるよう構成されている。一方、図１（ｃ）に示すように、発光部１０１ａが設置されている基板１０１ｄと、発光部１０１ｂが設置されている基板１０１ｅとが異なっているため、ｗ１に生じる誤差は大きくなる。このため、ＤＯＥ１０９が所定の設計位置に配されたとしても、光検出器１１１の受光面上において、ＢＤ光のメインビームの光軸とＤＶＤ光の光軸とがずれて、４分割センサＳ１〜Ｓ３によりＢＤ光を適正に受光することができなくなる惧れがある。
【００８７】
しかしながら、本実施の形態によれば、ＤＯＥ１０９の位置を調整するための機構が設けられているため、この機構を介してＤＯＥ１０９の位置を調整することにより、ＢＤ光を４分割センサＳ１〜Ｓ３に導くことができる。すなわち、ＤＶＤ光を適正に受光する位置に光検出器１１１が位置調整された後、図７（ａ）に示す手順に従って、前後方向（ｚ軸方向）におけるＤＯＥ１０９の位置が決められ、且つ、上下左右方向からなる平面内（ｘｚ平面内）におけるＤＯＥ１０９の回転位置が決められる。これにより、４分割センサＳ１〜Ｓ３によりＢＤ光を適正に受光することができるようになる。
【００８８】
また、図９（ａ）に示すように、ＤＯＥ座標点が、点Ｐ１から順に、点Ｐ２、Ｐ３、原点に移動するよう、ホルダＤの位置調整を行うだけで、ＤＯＥ１０９を適正な位置に位置付けることができる。
【００８９】
また、本実施の形態によれば、ＢＤ光のメインビームとＤＶＤ光が共通の４分割センサ
Ｓ１で受光されるため、図２（ｂ）に示すようにセンサレイアウトを簡略化することができ、光検出器１１１を小型化することができる。
【００９０】
以上、本発明の実施の形態について説明したが、本発明は、上記実施の形態に何ら制限されるものではなく、また、本発明の実施の形態も上記以外に種々の変更が可能である。
【００９１】
たとえば、上記実施の形態では、発光部１０１ａが、発光部１０１ｂ、１０１ｃが設置された基板１０１ｅと異なる基板１０１ｄ上に設置されたが、これに限らず、発光部１０１ｂまたは発光部１０１ｃが異なる基板上に設置されていても良い。この場合、異なる基板上に設置された発光部の光軸が、ＤＯＥ１０９により光検出器１１１の受光面上の所望の位置を通るように、上記実施の形態と同様、ＤＯＥ１０９の位置調整が行われる。
【００９２】
また、上記実施の形態では、光検出器１１１の受光面上において、ＢＤ光のメインビームの光軸とＤＶＤ光の光軸が一致し、この位置に４分割センサＳ１が配されたが、これに限らず、ＢＤ光のメインビームは、受光面上においてＤＶＤ光から離れた位置に照射されるようにしても良い。この場合、ＤＶＤ光を受光する４分割センサが新たに配され、この４分割センサとは異なる位置にＢＤ光のメインビームを受光する上記４分割センサＳ１が配される。
【００９３】
なお、図９（ａ）において、ＤＯＥ１０９が前後方向に移動する場合と、回転方向に移動する場合、ＤＯＥ座標点は所定の傾きの直線上を移動する。上記実施の形態では、一旦、ＰｏｓＸの値が０となる点Ｐ２の位置にＤＯＥ１０９を移動させた後、２つの直線の交点Ｐ３の位置にＤＯＥ１０９を移動させ、その後、ＤＯＥ１０９の回転方向の位置調整が行われた。しかし、ＤＯＥ１０９の調整方法はこの方法に限られず、たとえば、ＤＯＥ１０９が初期位置に位置付けられたときのＤＯＥ座標点（点Ｐ１）に基づいて、２つの直線の交点を示す点Ｐ３の位置（ＰｏｓＸの値）を演算により求め、この位置（ＰｏｓＸの値）にＤＯＥ１０９を移動させても良い。この場合、図９（ａ）に示すように点Ｐ２を経由せずに、図９（ｂ）に示すように点Ｐ３の位置にＤＯＥ１０９が移動された後、ＤＯＥ１０９の回転方向の調整が行われる。このため、図９（ａ）に示す調整方法よりも迅速に、ＤＯＥ１０９の調整を終えることができる。
【００９４】
なお、図９（ｂ）の変更例の場合、たとえば、点Ｐ３の位置を算出するためのソフトウェアが、作業者が作業を行う際に利用するパソコン等にインストールされる。この場合、ＤＯＥ１０９が初期位置に位置付けられると、パソコン上に図９（ｂ）に示すような最短経路を示すグラフが表示され、ＤＯＥ１０９の調整中に現在のＤＯＥ座標点が、かかるグラフ上に表示されるようにしても良い。これにより、作業者は、視覚的にＤＯＥ１０９の位置と点Ｐ３の位置とを確認しながら、迅速にＤＯＥ１０９の位置調整を行うことが可能となる。
【００９５】
また、上記実施の形態では、ＤＯＥ１０９の前後方向の位置を調整した後、ＤＯＥ１０９の回転方向の位置を調整したが、これに限らず、ＤＯＥ１０９の回転方向の位置を調整する必要が無い場合、ＤＯＥ１０９の前後方向の位置のみが調整されるようにしても良い。
【００９６】
図６（ｄ）は、ＤＯＥ１０９の回転方向の位置調整を行わない場合の構成を示す図である。図６（ｄ）に示す変更例では、ホルダＤの回転方向の移動を制限するためのストッパーＴが、棚部Ｈ３１に設置されている。ストッパーＴは、四角柱形状を有しており、ストッパーＴの上面と下面は、棚部Ｈ３１に沿って前後方向に延びている。
【００９７】
図１０（ａ）は、この場合の信号ＰｏｓＸ、ＰｏｓＹの関係を示す図である。ＤＯＥ１
０９を初期位置に位置付けると、上記実施の形態と同様、所定の傾きを有する前後方向に延びた直線上に、初期位置に対応した点Ｐ１が位置付けられる。この場合、ＤＯＥ１０９を前後方向に移動させるだけで、ＤＯＥ座標点を原点に位置付けることができる。
【００９８】
なお、ＤＯＥ１０９の回転方向の位置調整を行わない場合に、図１０（ａ）の原点を通り前後方向に延びる直線の近傍に、ＤＯＥ１０９が初期位置にあるときのＤＯＥ座標点が位置付けられないと、ＤＯＥ座標点を原点に位置付けることができない。このような場合、図１０（ｂ）に示すように、信号ＰｏｓＸの値が０となる位置にＤＯＥ１０９を位置付けて位置調整を終了としても良い。また、ＤＯＥ座標点が、√（ＰｏｓＸ＾２＋ＰｏｓＹ＾２）の値が最小となる位置、すなわち、原点を中心とした円周が前後方向に延びた直線と接する位置（点Ｐ４）に位置付けられるように、ＤＯＥ１０９の位置調整が行われても良い。
【００９９】
また、上記実施の形態では、ＤＯＥ１０９の前後方向の位置を調整した後、ＤＯＥ１０９の回転方向の位置を調整したが、これに限らず、ＤＯＥ１０９の前後方向の位置を調整する必要が無い場合、ＤＯＥ１０９の回転方向の位置のみが調整されるようにしても良い。
【０１００】
また、上記実施の形態では、ＤＯＥ１０９の前後方向の位置を調整した後、ＤＯＥ１０９の回転方向の位置を調整したが、これに限らず、ＤＯＥ１０９の回転方向の位置を調整した後、ＤＯＥ１０９の前後方向の位置を調整しても良い。この場合、回転方向の位置調整が終了した後、ホルダＤが回転方向に移動しないようにして、前後方向に移動させるための手段が必要となる。かかる手段として、たとえば、ホルダＤの回転方向の位置をハウジングＨの保持部Ｈ１６に対して固定させるためのストッパーや、ホルダＤを前後方向にのみ移動させるジグが考えられる。
【０１０１】
この他、本発明の実施の形態は、特許請求の範囲に示された技術的思想の範囲内において、適宜、種々の変更が可能である。
【符号の説明】
【０１０２】
１  …  光ピックアップ装置
１０１  …  半導体レーザ（レーザ光源）
１０１ａ  …  発光部（第１のレーザ発光部）
１０１ｂ  …  発光部（第２のレーザ発光部）
１０１ｃ  …  発光部（第３のレーザ発光部）
１０１ｄ  …  基板（第１の基板）
１０１ｅ  …  基板（第２の基板）
１０１ｆ  …  サブマウント（パッケージ）
１０９  …  ＤＯＥ（光軸調整素子）
１１１  …  光検出器
Ｄ  …  ホルダ（調整機構）
Ｈ  …  ハウジング
Ｈ１６  …  保持部（ホルダ設置部）
Ｌ  …  板ばね（調整機構、押圧部材）
Ｓ１  …  ４分割センサ（センサ部）
【図１】
2015079549.tif 000003
【図２】
2015079549.tif 000004
【図３】
2015079549.tif 000005
【図４】
2015079549.tif 000006
【図５】
2015079549.tif 000007
【図６】
2015079549.tif 000008
【図７】
2015079549.tif 000009
【図８】
2015079549.tif 000010
【図９】
2015079549.tif 000011
【図１０】
2015079549.tif 000012